(57)【要約】【課題】飛行性能に優れたゴルフボール１の提供。【解決手段】ゴルフボール１は、直径が４．３５ｍｍであるＡディンプルと、直径が３．９ｍｍであるＢディンプルと、直径が３．４ｍｍであるＣディンプルと、直径が３．２ｍｍであるＤディンプルとを備えている。いずれのディンプルも平面形状は円形である。直径が３．９ｍｍ以上４．８ｍｍ以下である円形ディンプルの個数Ｎａがディンプル総数Ｎに占める比率ＰＮは、７５％以上である。直径が３．９ｍｍ以上４．８ｍｍ以下である円形ディンプルの容積Ｖａは、２００ｍｍ３以上３００ｍｍ３以下である。この容積Ｖａが全ディンプルの総容積Ｖに占める比率ＰＶは、７０％以上９５％以下である。全ディンプルの表面積占有率Ｙは、７５％以上である。【選択図】  図１
2004313206.tif 000002
【特許請求の範囲】
【請求項１】
（ａ）直径が３．９ｍｍ以上４．８ｍｍ以下である２種以上の円形ディンプル及び
（ｂ）非円形ディンプル又は直径が３．９ｍｍ未満である円形ディンプル
を備えており、
直径が３．９ｍｍ以上４．８ｍｍ以下である円形ディンプルの個数Ｎａがディンプル総数Ｎに占める比率ＰＮが７５％以上であり、
直径が３．９ｍｍ以上４．８ｍｍ以下である円形ディンプルの容積Ｖａが２００ｍｍ３以上３００ｍｍ３以下であり、
この容積Ｖａが全ディンプルの総容積Ｖに占める比率ＰＶが７０％以上９５％以下であり、
全ディンプルの表面積占有率Ｙが７５％以上であるゴルフボール。
【請求項２】
直径が３．９ｍｍ以上４．８ｍｍ以下である円形ディンプルの表面積占有率Ｙａが６５％以上である請求項１に記載のゴルフボール。
【請求項３】
直径が３．９ｍｍ以上４．８ｍｍ以下である円形ディンプルの中で最大のディンプルの直径と、直径が３．９ｍｍ以上４．８ｍｍ以下であるディンプルの中で最小のディンプルの直径との差が０．６ｍｍ以下である請求項１又は２に記載のゴルフボール。
【発明の詳細な説明】
【０００１】
【発明の属する技術分野】
本発明は、ゴルフボールに関する。詳細には、本発明は、ゴルフボールのディンプルパターンの改良に関する。
【０００２】
【従来の技術】
ゴルフクラブで打撃されると、ゴルフボールはバックスピンを伴って飛行する。ゴルフボールは落下して地面をころがり、やがて静止する。打撃地点から落下地点までの距離は、キャリーと称されている。落下地点から静止地点までの距離は、ラン（又はロール）と称されている。打撃地点から静止地点までの距離は、トータル距離と称されている。
【０００３】
ゴルフボールは、その表面に多数のディンプルを備えている。ディンプルの平面形状は、通常は円形である。非円形ディンプルも提案されているが、空力的対称性及び金型の製作容易性の観点から、市販されているゴルフボールでは円形ディンプルが主流である。
【０００４】
ディンプルの役割は、飛行時のゴルフボール周りの空気の流れを乱すことによって乱流剥離を起こさせることにある（以下、「ディンプル効果」と称される）。乱流剥離によって空気のゴルフボールからの剥離点が後方に下がり、抗力係数（Ｃｄ）が小さくなる。乱流剥離によってバックスピンに起因するゴルフボールの上側と下側とにおける剥離点の差が助長され、ゴルフボールに作用する揚力が高められる。抗力の低減と揚力の向上とによって、ゴルフボールの飛距離が増大する。空力的に優れたディンプルは、乱流剥離を促進する。
【０００５】
ゴルフボールの飛行性能に大きく影響を与える仕様として、ディンプルの密度（「表面積占有率」とも呼ばれている）が挙げられる。密度が大きなゴルフボールは、飛行性能に優れる。密度に関する種々の提案がなされている。特開昭６２−１９２１８１号公報には、平均面積以上の面積を備えた新たなディンプルが形成されえないように、密にディンプルが配置されたゴルフボールが開示されている。特開平４−３４７１７７号公報には、極めて密にディンプルが配置されており、所定寸法の長方形が画かれうるランドの数が４０ヶ所以下であるゴルフボールが開示されている。特開２００２−１８６６８４公報には、表面積占有率とディンプル輪郭長さとが所定の関係を満たすゴルフボールが開示されている。
【０００６】
ゴルフボールの飛行性能に大きく影響を与える他の仕様として、ディンプルの総容積が挙げられる。総容積が小さい場合、ゴルフボールの弾道が高くなる傾向がある。一方、総容積が大きい場合、ゴルフボールの弾道が低くなる傾向がある。
【０００７】
【特許文献１】
特開昭６２−１９２１８１号公報
【特許文献２】
特開平４−３４７１７７号公報
【特許文献３】
特開２００２−１８６６８４公報
【０００８】
【発明が解決しようとする課題】
高い弾道では大きなキャリーが得られるが、落下時のゴルフボールの速度が遅いことに起因してランが小さい。総容積が小さい場合は、トータル距離は不十分である。低い弾道ではランが大きいが、キャリーは小さい。総容積が大きい場合も、トータル距離は不十分である。しかも、低い弾道の場合はキャリーのばらつきが大きい。
【０００９】
このように、キャリーが大きなゴルフボールではランは小さく、ランが大きなゴルフボールでは、キャリーが小さい。ゴルフボールに対するゴルファーの最大の要求は、飛距離である。ゴルファーは、特にドライバーで打撃したときのトータル距離を重視する。本発明の目的は、トータル距離の大きなゴルフボールの提供にある。
【００１０】
【課題を解決するための手段】
本発明に係るゴルフボールは、
（ａ）直径が３．９ｍｍ以上４．８ｍｍ以下である２種以上のディンプル
及び
（ｂ）非円形ディンプル又は直径が３．９ｍｍ未満である円形ディンプル
を備えている。直径が３．９ｍｍ以上４．８ｍｍ以下である円形ディンプルの個数Ｎａがディンプル総数Ｎに占める比率ＰＮは、７５％以上である。直径が３．９ｍｍ以上４．８ｍｍ以下である円形ディンプルの容積Ｖａは、２００ｍｍ３以上３００ｍｍ３以下である。この容積Ｖａが全ディンプルの総容積Ｖに占める比率ＰＶは、７０％以上９５％以下である。全ディンプルの表面積占有率Ｙは、７５％以上である。このゴルフボールでは、キャリーが大きいにもかかわらず、ランも大きい。このゴルフボールでは、トータル距離が大きい。
【００１１】
好ましくは、直径が３．９ｍｍ以上４．８ｍｍ以下である円形ディンプルの表面積占有率Ｙａは、６５％以上である。このゴルフボールは、飛行性能に優れる。
【００１２】
好ましくは、直径が３．９ｍｍ以上４．８ｍｍ以下である円形ディンプルの中で最大のディンプルの直径と、直径が３．９ｍｍ以上４．８ｍｍ以下である円形ディンプルの中で最小のディンプルの直径との差は、０．６ｍｍ以下である。このゴルフボールでは、きわめて大きなキャリーが得られる。
【００１３】
【発明の実施の形態】
以下、適宜図面が参照されつつ、好ましい実施形態に基づいて本発明が詳細に説明される。
【００１４】
図１は、本発明の一実施形態に係るゴルフボール１が示された正面図である。このゴルフボール１の直径は、通常は４０ｍｍから４５ｍｍ、さらには４２ｍｍから４４ｍｍである。米国ゴルフ協会（ＵＳＧＡ）の規格が満たされる範囲で空気抵抗が低減されるという観点から、直径は４２．６７ｍｍ以上４２．８５ｍｍ以下が特に好ましい。このゴルフボール１の質量は、通常は４０ｇ以上５０ｇ以下、さらには４４ｇ以上４７ｇ以下である。米国ゴルフ協会の規格が満たされる範囲で慣性が高められるという観点から、質量は４５．００ｇ以上４５．９３ｇ以下が特に好ましい。
【００１５】
このゴルフボール１は、平面形状が円形であり直径が４．３５ｍｍであるＡディンプルと、平面形状が円形であり直径が３．９ｍｍであるＢディンプルと、平面形状が円形であり直径が３．４ｍｍであるＣディンプルと、平面形状が円形であり直径が３．２ｍｍであるＤディンプルとを備えている。本明細書において「平面形状」という用語は、仮想球面とディンプルとの境界である輪郭線が無限遠から見られたときの形状を意味する。このゴルフボール１は、直径が３．９ｍｍ以上４．８ｍｍ以下である円形ディンプルを２種（具体的には、ＡディンプルとＢディンプル）備えている。このゴルフボール１は、直径が３．９ｍｍ未満である円形ディンプルを２種（具体的にはＣディンプルとＤディンプル）備えている。図１には、ゴルフボール１の表面が１０個の等価なユニットに区画された場合の１個のユニットに関し、ＡからＤの符号によってディンプルの種類が示されている。図１における二点差線は、ユニット同士の境界を表す仮想線である。
【００１６】
図１に示されたゴルフボール１では、Ａディンプルの個数は７０個であり、Ｂディンプルの個数は２６０個であり、Ｃディンプルの個数は４０個であり、Ｄディンプルの個数は４０個である。このゴルフボール１のディンプル総数Ｎは、４１０個である。このゴルフボール１では、直径が３．９ｍｍ以上４．８ｍｍ以下である円形ディンプルの個数Ｎａは３３０個である。個数Ｎａの総数Ｎに対する比率ＰＮは、８０．５％である。
【００１７】
図２は、図１のゴルフボール１の一部が示された模式的拡大断面図である。この図には、円形ディンプル２の平面形状の重心及びゴルフボール１の中心を通過する平面による断面が示されている。この図から明らかなように、ディンプル２の断面形状はほぼ円弧である。換言すれば、ディンプル２の表面は球面の一部である。このディンプル２は、シングルラジアスディンプルと称されている。もちろん、他の断面形状を有する円形ディンプル２が採用されてもよい。図２において二点鎖線で示されているのは、仮想球面（ディンプル２が存在しないと仮定されたときの球面）である。図２において両矢印ｄで示されているのは、ディンプル２の直径である。この直径ｄは、ディンプル２の両端に共通の接線が画かれたときの両接点の距離である。この接点の連続したものが、輪郭線である。図２において矢印ｒで示されているのは、ディンプル２の断面の曲率である。
【００１８】
本明細書において「総容積Ｖ」とは、全てのディンプル２の容積ｖの総和を意味する。ここで「ディンプルの容積ｖ」とは、円形ディンプル２の場合、輪郭線を含む平面とディンプル２の表面とに囲まれた部分の容積を意味する。非円形ディンプルの場合は、この非円形ディンプルの面積と同一の面積を備え、かつこの非円形ディンプルの深さと同一の深さを備えた円形のシングルラジアスディンプルが想定され、このシングルラジアスディンプルの容積が当該非円形ディンプルの容積と定義される。直径が３．９ｍｍ以上４．８ｍｍ以下である円形ディンプルの容積ｖの合計は、Ｖａである。容積Ｖａの総容積Ｖに対する比率は、ＰＶ（％）である。図１に示されたゴルフボール１のＡディンプルの容積ｖは０．９６７ｍｍ３であり、Ｂディンプルの容積ｖは０．７７８ｍｍ３であり、Ｃディンプルの容積ｖは０．５９１ｍｍ３であり、Ｄディンプルの容積ｖは０．５１２ｍｍ３である。従って、このゴルフボール１の総容積Ｖは３１４．０ｍｍ３であり、容積Ｖａは２６９．９ｍｍ３であり、比率ＰＶは８５．９％である。
【００１９】
本明細書において「表面積占有率Ｙ」という用語は、全てのディンプルの面積ｓの総和が仮想球の表面積で除された値の１００倍を意味する。ここで「ディンプルの面積ｓ」とは、当該ディンプルの平面形状の面積を意味する。円形ディンプルの場合は、下記数式によって面積ｓが算出される。
ｓ＝（ｄ／２）２×π
本明細書において、直径が３．９ｍｍ以上４．８ｍｍ以下である円形ディンプルの面積ｓの合計が仮想球の表面積で除された値の１００倍は、表面積占有率Ｙａである。
【００２０】
図１に示されたゴルフボール１では、Ａディンプルの面積ｓは１４．９ｍｍ２であり、Ｂディンプルの面積ｓは１１．９ｍｍ２であり、Ｃディンプルの面積ｓは９．１ｍｍ２であり、Ｄディンプルの面積ｓは８．０ｍｍ２である。従って、ディンプル面積の総和Ｓは、４８３１ｍｍ２である。この総面積Ｓが仮想球の表面積で除されることにより、表面積占有率Ｙが算出される。このゴルフボール１では、表面積占有率Ｙは８４％である。このゴルフボール１では、表面積占有率Ｙａは、７２％である。
【００２１】
本発明に係るゴルフボール１では、比率ＰＮが７５％以上に設定される。換言すれば、このゴルフボール１では、円形であって直径が３．９ｍｍ以上４．８ｍｍ以下である大径ディンプルが数多く配置されている。大径ディンプルは、キャリーの向上に寄与する。大径ディンプルがキャリーの向上に寄与する理由は詳細には不明であるが、打撃直後の抗力が大径ディンプルによって軽減されるためと推測される。キャリーの観点から、比率ＰＮは７８％以上がより好ましく、７９％以上が特に好ましい。極端に大きなディンプルはゴルフボール１表面の円滑性を損なうので、直径が４．８ｍｍを越えるディンプルは配置されないことが好ましい。
【００２２】
ゴルフボール１の表面に大径ディンプルのみが配置されると、複数のディンプルに囲まれた領域（ランド）の面積が大きくなる。ランドの面積が大きなゴルフボール１は、弾道の後半に失速する傾向がある。失速は、ランの低下を招来する。本発明に係るゴルフボール１には、大径ディンプルに加えて直径が３．９ｍｍ未満である小径の円形ディンプルも配置されている。この小径ディンプルは、面積の大きなランドが発生することを抑制する。これにより、後に詳説されるように、大きな表面積占有率Ｙが達成されうる。大径ディンプルと小径ディンプルとの併設により、キャリーとランとが両立され、トータル距離が高められる。表面積占有率Ｙの観点から、小径ディンプルの直径は３．７ｍｍ以下がより好ましく、３．５ｍｍ以下が特に好ましい。極端に小さなディンプルは空力特性に寄与し得ないので、小径ディンプルの直径は２．０ｍｍ以上が好ましく、２．５ｍｍ以上が特に好ましい。小径ディンプルとともに、又は小径ディンプルに代えて、非円形ディンプルが設けられてもよい。非円形ディンプルは、大径の円形ディンプルに囲まれた領域にも配置されやすい。非円形ディンプルも、小径ディンプルと同様に、失速を抑制しうる。
【００２３】
このゴルフボール１では、前述のように２種類の大径ディンプルを備えている。大径ディンプルの種類が２以上とされることにより、単一種類の大径ディンプルが配置される場合に比して、ゴルフボール１表面へ密にディンプルが配置されうる。これにより、後に詳説されるように、大きな表面積占有率Ｙが達成されうる。本発明では、互いの直径の差が０．１ｍｍであるディンプル同士は、種類が異なると判断される。表面積占有率Ｙの観点から、直径が３．９ｍｍ以上４．８ｍｍ以下である円形ディンプルの中で最大のディンプルの直径と、直径が３．９ｍｍ以上４．８ｍｍ以下である円形ディンプルの中で最小のディンプルの直径との差は、０．１ｍｍ以上が好ましく、０．１５ｍｍ以上が特に好ましい。大径ディンプル同士の直径差が大きすぎると、空気の流れが過剰に乱されてゴルフボール１の飛行性能が損なわれることがある。この観点から、直径が３．９ｍｍ以上４．８ｍｍ以下である円形ディンプルの中で最大のディンプルの直径と、直径が３．９ｍｍ以上４．８ｍｍ以下である円形ディンプルの中で最小のディンプルの直径との差は、０．６ｍｍ以下が好ましく、０．５５ｍｍ以下がより好ましく、０．４５ｍｍ以下がより好ましく、０．３０ｍｍ以下がより好ましく、０．２５ｍｍ以下が特に好ましい。小径ディンプル及び非円形ディンプルの種類数は１でもよく、２以上でもよい。
【００２４】
本発明に係るゴルフボール１では、表面積占有率Ｙは７５％以上に設定される。表面積占有率Ｙが上記範囲未満であると、弾道の後半においてゴルフボール１が失速し、ランが不十分となることがある。この観点から、表面積占有率Ｙは７８％以上がより好ましく、８０％以上が特に好ましい。通常得られる表面積占有率Ｙは９０％以下、特には８６％以下である。
【００２５】
直径が３．９ｍｍ以上４．８ｍｍ以下である円形ディンプルの表面積占有率Ｙａは、６５％以上が好ましい。表面積占有率Ｙａが上記範囲未満であると、キャリーが不十分となることがある。この観点から、表面積占有率Ｙａは６８％以上がより好ましく、７０％以上が特に好ましい。表面積占有率Ｙａが大きすぎると、小径ディンプル（又は非円形ディンプル）の数が少なくなる。小径ディンプルの数が少ないと、ゴルフボール１の失速によるランの低下を招来することがある。この観点から、表面積占有率Ｙａは８０％以下が好ましく、７５％以下が特に好ましい。
【００２６】
本発明に係るゴルフボール１では、総容積Ｖは２５０ｍｍ３以上３８０ｍｍ３以下が好ましい。総容積Ｖが上記範囲未満であると、ランが不足するおそれがある。この観点から、総容積Ｖは２７０ｍｍ３以上がより好ましく、２９０ｍｍ３以上が特に好ましい。総容積Ｖが上記範囲を超えると、キャリーが不足するおそれがある。この観点から、総容積Ｖは３７５ｍｍ３以下がより好ましく、３７０ｍｍ３以下が特に好ましい。
【００２７】
本発明に係るゴルフボール１では、容積Ｖａは２００ｍｍ３以上３００ｍｍ３以下に設定される。容積Ｖａが上記範囲未満であると、キャリーが不足するおそれがある。この観点から、容積Ｖａは２１０ｍｍ３以上がより好ましく、２２０ｍｍ３以上が特に好ましい。容積Ｖａが上記範囲を超えると、ランが不足するおそれがある。この観点から、容積Ｖａは２９５ｍｍ３以下がより好ましい。
【００２８】
本発明に係るゴルフボール１では、比率ＰＶは７０％以上９５％以下に設定される。比率ＰＶが上記範囲未満であると、キャリーが不足するおそれがある。この観点から、比率ＰＶは７５％以上がより好ましく、８０％以上が特に好ましい。比率ＰＶが上記範囲を超えると、ランが不足するおそれがある。この観点から、比率ＰＶは９０％以下がより好ましい。
【００２９】
ディンプル２の総数Ｎは、２４０個以上５００個以下が好ましい。総数Ｎが上記範囲未満であると、ゴルフボール表面の円滑性が損なわれることがある。この観点から、総数Ｎは２８０個以上がより好ましく、２９０個以上が特に好ましい。総数Ｎが上記範囲を超えると、抗力係数（Ｃｄ）が大きくなってキャリーが不足することがある。この観点から、総数Ｎは４８０個以下がより好ましく、４５０個以下が特に好ましい。
【００３０】
個々のディンプルの深さは、０．０５ｍｍ以上０．６０ｍｍ以下が好ましい。深さが上記範囲未満であると、ゴルフボール１の空力特性が不十分となることがある。この観点から、深さは０．０７５ｍｍ以上がより好ましく、０．１０ｍｍ以上が特に好ましい。深さが上記範囲を越えると、ディンプル２の中に土がたまりやすい。この観点から、深さは０．５０ｍｍ以下がより好ましく、０．４５ｍｍ以下が特に好ましい。深さとは、ディンプル２の輪郭線を含む平面とディンプル２の最深部との距離である。
【００３１】
ゴルフボール１の成形では、金型のパーティングライン上にはディンプルを形成できない。パーティングラインが円である金型が用いられると、ゴルフボール１の表面にはディンプルと交差しない大円帯が形成される。大円帯は広面積なランドである。大円帯によりゴルフボール１の失速が助長され、しかも空力的対称性が阻害される。本発明に係るゴルフボール１では、パーティングラインが凹凸状である金型が用いられることが好ましい。この金型により、大円帯を有さないゴルフボール１が成形されうる。
【００３２】
上記ディンプルパターンは、ソリッドコアとカバーとからなるソリッドゴルフボール、糸巻きゴルフボール及びワンピースゴルフボールに採用されうる。２以上の層を備えたソリッドコアが用いられたソリッドゴルフボールや、２以上の層を備えたカバーが用いられたソリッドゴルフボールにも、上記ディンプルパターンは採用されうる。
【００３３】
【実施例】
以下、実施例に基づいて本発明の効果が明らかにされるが、この実施例の記載に基づいて本発明が限定的に解釈されるべきではない。
【００３４】
［実施例１］
ハイシスポリブタジエン（ジェイエスアール社の商品名「ＢＲ０１」）１００質量部、アクリル酸亜鉛２５質量部、所定量の酸化亜鉛、ジクミルパーオキサイド０．６５質量部及びジフェニルジスルフィド０．４８質量部を混練し、ゴム組成物を得た。このゴム組成物を金型に投入し、１６０℃の温度下に２５分間保持して、直径が３９．９ｍｍである球状のコアを得た。一方、アイオノマー樹脂（デュポン社の商品名「サーリン８９４５」）４５質量部、他のアイオノマー樹脂（デュポン社の商品名「サーリン９９４５」）４５質量部及び熱可塑性スチレンエラストマー（三菱化学社の商品名「ラバロンＳＲ０４」）１０質量部を混練し、樹脂組成物を得た。次に、コアを他の金型に投入し、このコアの周囲に樹脂組成物を射出して、カバーを成形した。このカバーの表面に塗装を施し、質量が４５．４ｇであり直径が４２．７ｍｍである実施例１のゴルフボールを得た。このゴルフボールのディンプルの仕様が、下記表１に示されている。
【００３５】
［実施例２から５及び比較例１から６］
金型を変更してディンプルの仕様を下記表１から３に示される通りとした他は実施例１と同様にして、実施例２から５及び比較例１から６のゴルフボールを得た。
【００３６】
【表１】
2004313206.tif 000003
【００３７】
【表２】
2004313206.tif 000004
【００３８】
【表３】
2004313206.tif 000005
【００３９】
［飛距離テスト］
ツルテンパー社のスイングマシンに、メタルヘッドを備えたドライバーを装着した。このスイングマシンでゴルフボールを打撃し、トータル距離を測定した。２０回の測定結果の平均値が下記の表４に示されている。打撃条件は、下記の通りである。
条件１
ヘッド速度：４５ｍ／ｓ
打ち出し角度：１１°
バックスピン速度：２８００ｒｐｍ
条件２
ヘッド速度：４０ｍ／ｓ
打ち出し角度：１２°
バックスピン速度：２６００ｒｐｍ
【００４０】
【表４】
2004313206.tif 000006
【００４１】
表４から明らかなように、実施例のゴルフボールは比較例のゴルフボールに比べてトータル距離が大きい。この評価結果から、本発明の優位性は明らかである。
【００４２】
【発明の効果】
以上説明されたように、本発明に係るゴルフボールは飛行性能に優れている。このゴルフボールは、これを打撃するゴルファーに爽快感を与え、かつスコアの向上に寄与する。
【図面の簡単な説明】
【図１】図１は、本発明の一実施形態に係るゴルフボールが示された正面図である。
【図２】図２は、図１のゴルフボールの一部が示された模式的拡大断面図である。
【図３】図３は、本発明の実施例２並びに比較例２及び３に係るゴルフボールが示された正面図である。
【図４】図４は、本発明の実施例３及び４に係るゴルフボールが示された正面図である。
【図５】図５は、本発明の実施例５に係るゴルフボールが示された正面図である。
【図６】図６は、本発明の比較例１に係るゴルフボールが示された正面図である。
【図７】図７は、本発明の比較例４に係るゴルフボールが示された正面図である。
【図８】図８は、本発明の比較例５に係るゴルフボールが示された正面図である。
【図９】図９は、本発明の比較例６に係るゴルフボールが示された正面図である。
【符号の説明】
１・・・ゴルフボール
２・・・ディンプル
Ａ・・・Ａディンプル
Ｂ・・・Ｂディンプル
Ｃ・・・Ｃディンプル
Ｄ・・・Ｄディンプル
ｄ・・・直径
ｒ・・・曲率
【図１】
2004313206.tif 000007
【図２】
2004313206.tif 000008
【図３】
2004313206.tif 000009
【図４】
2004313206.tif 000010
【図５】
2004313206.tif 000011
【図６】
2004313206.tif 000012
【図７】
2004313206.tif 000013
【図８】
2004313206.tif 000014
【図９】
2004313206.tif 000015